(57)【特許請求の範囲】
【請求項１】
コンピュータ本体と、
このコンピュータ本体に開閉自在に取り付けられた内蔵フラットパネルディスプレイモニタと、
前記コンピュータ本体に設けられ、外部フラットパネルディスプレイモニタがケーブルを介して接続可能なデジタルインターフェイスコネクタと、
多ビットのデジタル表示データを出力する表示コントローラと、
前記表示コントローラから出力される多ビットのデジタル表示データをシリアルデータに変換し、このシリアルデータを差動信号に変換することによって前記内蔵フラットパネルディスプレイモニタ用の差動形式の第１のデジタル表示信号を生成して前記内蔵フラットパネルディスプレイモニタに出力する第１の信号変換手段と、
前記表示コントローラから出力される多ビットのデジタル表示データをシリアルデータに変換し、このシリアルデータをエンコード処理し、且つ前記エンコード処理されたシリアルデータを差動信号に変換することによって前記外部フラットパネルディスプレイモニタ用の差動形式の第２のデジタル表示信号を生成して前記デジタルインターフェイスコネクタに出力する第２の信号変換手段とを具備することを特徴とするコンピュータシステム。
【請求項２】
前記表示コントローラは１チップＬＳＩによって実現されており、前記第１および第２の信号変換手段は前記表示コントローラのチップ内に内蔵されていることを特徴とする請求項１記載のコンピュータシステム。
【請求項３】
前記コンピュータ本体に設けられたアナログＲＧＢインターフェイスコネクタと、
前記表示コントローラから出力される多ビットのデジタル表示データをアナログ信号に変換して前記アナログＲＧＢインターフェイスコネクタに出力する手段とをさらに具備することを特徴とする請求項１記載のコンピュータシステム。
【請求項４】
前記デジタルインターフェイスコネクタおよび前記アナログＲＧＢインターフェイスコネクタのそれぞれについて、外部ディスプレイモニタの接続の有無を検出する手段と、
この検出結果に基づいて、前記デジタルインターフェイスコネクタおよび前記アナログＲＧＢインターフェイスコネクタに対する表示信号の供給・遮断を制御する手段とをさらに具備することを特徴とする請求項３記載のコンピュータシステム。
【請求項５】
前記デジタルインターフェイスコネクタおよび前記アナログＲＧＢインターフェイスコネクタは、
前記デジタルインターフェイスコネクタ内の信号ピンと前記アナログＲＧＢインターフェイスコネクタ内の信号ピンとを含み、前記外部フラットパネルディスプレイモニタとアナログインターフェイスの外部ディスプレイモニタの双方が選択的に接続可能な一個の共用コネクタから構成されていることを特徴とする請求項３記載のコンピュータシステム。
【請求項６】
前記共用コネクタに、前記外部フラットパネルディスプレイモニタと、前記アナログインターフェイスの外部ディスプレイモニタのどちらが接続されているかを判別するモニタ判別手段をさらに具備し、
このモニタ判別手段の判別結果に従って、前記共用コネクタに出力する表示信号が切り替えられることを特徴とする請求項５記載のコンピュータシステム。
【発明の詳細な説明】
【０００１】
【発明の属する技術分野】
本発明は例えばパーソナルコンピュータ（以下、ＰＣと称する）などのコンピュータシステムに関し、特に各種ディスプレイモニタを制御できるように改良されたコンピュータシステムに関する。
【０００２】
【従来の技術】
従来のノートＰＣやラップトップＰＣ及びデスクトップＰＣでは、外づけモニタ用のインタフェースとしてアナログインタフェース（Ｒ，Ｂ，Ｇがアナログデータ）が主流であった。そこで、ノートＰＣ等ではプレゼンテーションを行う場合などには、アナログＣＲＴモニタを使用して、そのアナログＣＲＴモニタと内蔵フラットパネルディスプレイとの同時表示などを行っていた。
【０００３】
ところで、最近ではＬＣＤ等のフラットパネルの低価格化によりフラットパネルディスプレイを外づけモニタとして使用する環境が増えてきた。このような外づけのフラットパネルディスプレイモニタは、内蔵フラットパネルディスプレイと同様に、本来はデジタル表示信号によって駆動制御されるものであるが、最近では、内部にアナログ／デジタル変換機能を備えることにより、アナログＲＧＢコネクタに接続できるように構成されたものも開発されている。しかし、この構成は、デジタル表示信号からアナログＲＧＢ信号への変換、アナログＲＧＢ信号からフラットパネルディスプレイモニタ用のデジタル信号への変換という、２回に渡る信号変換を伴うことになり、表示品質の劣化の原因となる。
【０００４】
また、外づけフラットパネルディスプレイモニタ用のデジタルインターフェイスのほとんどは、ＰＣＩカードなどの専用の拡張ビデオカードによって実現されている。これは、ＰＣＩ拡張ビデオカードをコンピュータ本体に装着し、その拡張ビデオカードから外づけフラットパネルディスプレイモニタ用のデジタル表示信号を導出するというものである。このため、その用途はデスクトップＰＣに限られ、拡張スロットを持たないノートＰＣやラップトップＰＣでは利用することが出来ない。
【０００５】
【発明が解決しようとする課題】
上述のように、従来のノートＰＣ等では外部モニタ用のインターフェイスとしてアナログＲＧＢインタフェースしかサポートしていなかったため、将来、急速に市場に拡大することが予想されているデジタルインタフェース搭載のフラットパネルディスプレイモニタをサポートできない等の問題があった。
【０００６】
本発明は上述の実情に鑑みてなされたものであり、外づけモニタ用のインターフェイスを改善してデジタルインタフェース搭載のフラットパネルディスプレイモニタを効率よく使用することが可能なコンピュータシステムを提供することを目的とする。
【０００７】
【課題を解決するための手段】
上述の課題を解決するため、本発明のコンピュータシステムは、コンピュータ本体と、このコンピュータ本体に開閉自在に取り付けられた内蔵フラットパネルディスプレイモニタと、前記コンピュータ本体に設けられ、外部フラットパネルディスプレイモニタがケーブルを介して接続可能なデジタルインターフェイスコネクタと、多ビットのデジタル表示データを出力する表示コントローラと、前記表示コントローラから出力される多ビットのデジタル表示データをシリアルデータに変換し、このシリアルデータを差動信号に変換することによって前記内蔵フラットパネルディスプレイモニタ用の差動形式の第１のデジタル表示信号を生成して前記内蔵フラットパネルディスプレイモニタに出力する第１の信号変換手段と、前記表示コントローラから出力される多ビットのデジタル表示データをシリアルデータに変換し、このシリアルデータをエンコード処理し、且つ前記エンコード処理されたシリアルデータを差動信号に変換することによって前記外部フラットパネルディスプレイモニタ用の差動形式の第２のデジタル表示信号を生成して前記デジタルインターフェイスコネクタに出力する第２の信号変換手段とを具備することを特徴とする。
【００１５】
【発明の実施の形態】
以下、図面を参照して本発明の実施形態を説明する。
図１には、本発明の一実施形態に係わるコンピュータシステムの構成が示されている。このコンピュータシステムは、ノートブックタイプまたはサブノートタイプのポータブルパーソナルコンピュータであり、コンピュータ本体と、このコンピュータ本体に開閉自在に取り付けられたＬＣＤパネルなどの内蔵フラットパネルディスプレイ３１とから構成されている。
【００１６】
コンピュータ本体のシステムボード上には、ＰＣＩバス１、ＩＳＡバス２、ＣＰＵモジュール１１、主メモリ１２、表示制御装置１３、ＰＣＩインターフェイスブリッジ（ＰＣＩ  Ｉ／Ｆ）１５、Ｉ／Ｏコントローラ１６、ＨＤＤ１７、ＢＩＯＳ−ＲＯＭ１８、キーボードコントローラ（ＫＢＣ）１９などが設けられている。
【００１７】
ＣＰＵモジュール１１は、このシステム全体の動作制御およびデータ処理を実行するものであり、ここにはＣＰＵ、キャッシュ、さらには主メモリ１２を制御するためのメモリコントローラなどが搭載されている。
【００１８】
主メモリ１２はこのシステムの主記憶として使用されるものであり、オペレーティングシステム、処理対象のアプリケーションプログラム、およびアプリケーションプログラムによって作成されたユーザデータ等が格納される。この主メモリ１２はシンクロナスＤＲＡＭなどの半導体メモリによって実現されている。
【００１９】
表示制御装置１３は、このシステムのディスプレイモニタとして使用される内蔵フラットパネルディスプレイモニタ３１や、外部ＣＲＴモニタ、外部フラットパネルディスプレイモニタを制御する。外部ＣＲＴモニタは、コンピュータ本体に設けられたアナログＲＧＢインターフェイスコネクタ３２に接続され、また外部フラットパネルディスプレイモニタはコンピュータ本体に設けられたデジタルインターフェイスコネクタ３３に接続される。
【００２０】
表示制御装置１３は、図示のように、表示コントローラ１３１、ビデオメモリ（ＶＲＡＭ）１３２、Ｄ／Ａコンバータ（ＤＡＣ）１３３、および変換ＩＣ１３４から構成されている。表示コントローラ１３１はＶＲＡＭ１３２に描画されたデータをそれらディスプレイモニタに表示するための制御を行うものであり、この表示コントローラ１３１からはたとえばＲＧＢ各６ビットからなる計２４ビットのデジタル表示データ、水平・垂直同期信号、クロック信号、表示イネーブル信号などが出力される。
【００２１】
変換ＩＣ１３４は、表示コントローラ１３１から出力されるＲＧＢ各６ビットのデジタル表示データをＲ，Ｇ，Ｂ毎にシリアルデータに変換し、それらＲＧＢそれぞれのシリアルデータを１ビットずつ個々に差動形式のデジタル表示信号に変換する。この差動形式のデジタル表示信号は、内蔵フラットパネルディスプレイモニタ３１、およびデジタルインターフェイスコネクタ３３に接続された外部フラットパネルディスプレイモニタに供給される。
【００２２】
一方、アナログＲＧＢインターフェイスコネクタ３２に接続されるアナログＣＲＴモニタなどのアナログ外部モニタに対しては、表示コントローラ１３１から出力されるＲＧＢ各６ビットのデジタル表示データがＤＡＣ１３３によってアナログ信号に変換された後に供給される。
【００２３】
ＰＣＩインターフェイスブリッジ（ＰＣＩ  Ｉ／Ｆ）１５は１チップＬＳＩによって実現されたゲートアレイであり、ここには、ＰＣＩバス１とＩＳＡバス２との間を双方向で接続するブリッジ機能が内蔵されているほか、ＨＤＤ１７、およびコンピュータ本体内に設けられたセレクタブルベイ２１に選択的に収容可能な各種ＩＤＥデバイス（セカンドＨＤＤ、ＣＤ−ＲＯＭドライブ，ＤＶＤドライブなど）の制御を行うＩＤＥコントローラと、ＵＳＢスロットに接続されるＵＳＢデバイスを制御するＵＳＢコントローラなども内蔵されている。
【００２４】
Ｉ／Ｏコントローラ１６は、ＩＤＥデバイスおよびＵＳＢデバイス以外の他の各種Ｉ／Ｏデバイスを制御するためのゲートアレイであり、ＰＣＭＣＩＡ／ＣＡＲＤ  ＢＵＳ仕様のＰＣカードを制御する機能や、シリアルポート、パラレルポート、赤外線通信ポート（ＦＩＲ）、専用コネクタを介して接続される外部ＦＤＤ、セレクタブルベイ２１に収容されたＦＤＤなどの制御を行う。
【００２５】
ＢＩＯＳ−ＲＯＭ１８は、システムＢＩＯＳ（Basic I/O System）を記憶するためのものであり、プログラム書き替えが可能なようにフラッシュメモリによって構成されている。システムＢＩＯＳは、このシステム内の各種ハードウェアをアクセスするファンクション実行ルーチンを体系化したものである。
【００２６】
キーボードコントローラ（ＫＢＣ）１９は、キーボード（ＫＢ）、およびポインティングスティック（ＰＳ）やマウスなどのポインティングデバイスの制御を行う。
【００２７】
図２には、本実施形態のコンピュータシステムに外部ディスプレイモニタを接続した様子が示されている。
システムボード上から内蔵フラットパネルディスプレイモニタ３１にはＬＣＤ専用のハーネスやＬＣＤフレキ、あるいはフラットケーブルなどが導出されており、内蔵フラットパネルディスプレイモニタ３１には、このような内部配線を介して前述の差動形式のシリアルデジタル表示信号が供給される。
【００２８】
外部フラットパネルディスプレイモニタ４１はデジタルインターフェイスを搭載したＬＣＤなどから構成されるものであり、これは、図示のように、コンピュータ本体１００のデジタルインターフェイスコネクタ３３に接続して使用される。前述の差動形式のシリアルデジタル表示信号は、デジタルインターフェイスコネクタ３３および接続ケーブルを介して外部フラットパネルディスプレイモニタ４１に供給される。
【００２９】
外部アナログＣＲＴモニタ４２は、アナログＲＧＢインターフェイスコネクタ３２に接続して使用される。前述のアナログ表示信号は、アナログＲＧＢインターフェイスコネクタ３２および接続ケーブルを介して外部アナログＣＲＴモニタ４２に供給される。
【００３０】
また、図３は、外部フラットパネルディスプレイモニタ４１および外部アナログＣＲＴモニタ４２を接続した場合の外観図である。
本実施形態によれば、外部フラットパネルディスプレイモニタ４１が接続可能なデジタルインターフェイスコネクタ３３と、外部アナログＣＲＴモニタ４２が接続可能なアナログＲＧＢコネクタ３２とがノートＰＣのコンピュータ本体１００上に設けられており、且つ、これら外部フラットパネルディスプレイモニタ４１および外部アナログＣＲＴモニタ４２と内蔵フラットパネルディスプレイモニタ３１とが、同一の表示制御装置１３によって制御される。よって、内蔵フラットパネルディスプレイモニタ３１、外部フラットパネルディスプレイモニタ４１、および外部アナログＣＲＴモニタ４２の同時表示や、それらの選択表示など、使用環境に応じた表示制御を効率的に行うことが可能となる。
【００３１】
また、デジタル表示データを直接に外部フラットパネルディスプレイモニタ４１に供給するのではなく、変換ＩＣ１３４によって、多ビットのデジタル表示データを差動形式のシリアルデジタル表示信号に変換してから供給しているので、多ビットのデジタル表示データを直接に外部フラットパネルディスプレイモニタ４１に供給する場合に比し、信号線数を低減することができると共に表示信号の信号電圧レベルを小さくすることが可能となり、電波輻射による障害などを除去することが可能となる。
【００３２】
なお、ここではデジタルインターフェイスコネクタ３３とアナログＲＧＢコネクタ３２とを別個に設ける場合を説明したが、デジタルインターフェイスコネクタ３３とアナログＲＧＢコネクタ３２を合体させてそれらを１個の統一コネクタとして実現することも可能である。図４にその統一コネクタの形状を示す。
【００３３】
この統一コネクタは、外部フラットパネルディスプレイモニタ４１および外部アナログＣＲＴモニタ４２の双方が接続可能な共用コネクタとして用いられるものであり、デジタルインターフェイスコネクタ３３に設けられていた信号ピンとアナログＲＧＢコネクタ３２内の信号ピンとを合わせ持つＤ−ＳＵＢコネクタとして実現されている。もちろん、グランドピンなどについては共通化して統一コネクタ内のピン数を削減することもできる。
【００３４】
デジタルインターフェイスコネクタ用の信号ピン（３３）は前述の差動形式のシリアルデジタル表示信号の伝達に用いられ、またアナログＲＧＢコネクタ用の信号ピン（３２）はアナログＲＧＢ信号の伝達に用いられる。
【００３５】
統一コネクタにデジタル表示信号とアナログＲＧＢ信号のどちらを出力するかは、フラットパネルモニタ検出回路１３５およびＣＲＴモニタ検出回路１３６それぞれの検出結果信号ＤＥＴ１，ＤＥＴ２に基づいて制御される。フラットパネルモニタ検出回路１３５は、デジタルインターフェイスコネクタ用の信号ピン（３３）内の所定の信号ピンの電圧を監視することにより、統一コネクタに外部フラットパネルディスプレイモニタ４１が接続されているか否かを検出する。外部フラットパネルディスプレイモニタ４１は、基本的には、統一コネクタ内の信号ピンの内、デジタルインターフェイスコネクタ用の信号ピン（３３）にのみ接続される。したがって、特定の信号ピン（３３）の電圧を監視することにより、外部フラットパネルディスプレイモニタ４１の接続の有無を検出することができる。
【００３６】
同様にして、ＣＲＴモニタ検出回路１３６はアナログＲＧＢコネクタ用の信号ピン（３２）内の所定の信号ピンの電圧を監視することにより、統一コネクタに外部ＣＲＴディスプレイ４２が接続されているか否かを検出する。
【００３７】
表示制御装置１３は、フラットパネルモニタ検出回路１３５およびＣＲＴモニタ検出回路１３６それぞれの検出結果に基づいて、デジタル表示信号とアナログＲＧＢ信号のいずれか一方を統一コネクタに供給する。
【００３８】
なお、統一コネクタ内に、さらに、ＵＳＢポート、Ｐ１３９４、あるいはＤＤＣ（Display Data Channel）のための信号ピンなどを一緒に含めることもでき、これによりさらに汎用性の高いコネクタを実現できる。
【００３９】
また、デジタルインターフェイスコネクタ３３とアナログＲＧＢコネクタ３２とが別個に設けられている場合であっても、フラットパネルモニタ検出回路１３５およびＣＲＴモニタ検出回路１３６によって各コネクタに対する外部モニタの接続の有無を検出し、その検出結果に応じて、デジタル表示信号およびアナログ表示信号それぞれの出力・非出力を切り替えることができる。
【００４０】
図５には、表示制御装置１３の第２の構成例が示されている。
図５においては、前述の変換ＩＣ１３４およびＤＡＣ１３３が、表示コントローラ１３１と同一チップ上に集積形成されている。このように変換ＩＣ１３４を表示コントローラ１３１と同一チップ上に集積形成することにより、システムボード上の実装面積の増大を招くことなく、外部フラットパネルディスプレイユニット４１のサポートが可能となる。
【００４１】
図６には、表示制御装置１３の第３の構成例が示されている。
図６においては、内蔵フラットパネルディスプレイモニタ３１用の変換ＩＣ１３４ａと、外部フラットパネルディスプレイユニット４１用の変換ＩＣ１３４ｂとの２つの変換ＩＣが設けられている。
【００４２】
前述したように、内蔵フラットパネルディスプレイモニタ３１と外部フラットパネルディスプレイユニット４１とでは信号伝送路の長さをはじめ、信号伝送にコネクタを経由するか否かなど、その電気的な環境が異なる。また、内蔵フラットパネルディスプレイモニタ３１についてはそれに使用するパネルの種類などはシステムメーカによって決定されるのでそれに合った独自の信号変換形式などを用いることができるが、外部フラットパネルディスプレイユニット４１として使用されるパネルはユーザが任意に選択するものであるので、汎用性の高い信号変換形式を採用することが必要となる。図６のように２つの変換ＩＣ１３４ａ，１３４ｂを設けることにより、このような条件を満足することが可能となる。
【００４３】
変換ＩＣ１３４ａ，１３４ｂそれぞれの具体的な構成の一例を図７に示す。
図７（ａ）は変換ＩＣ１３４ａに対応するものであり、図示のように、パラレル−シリアル変換回路２０１、ＰＬＬ２０２、および差動信号線ドライバ２０３〜２０６から構成されている。６ビットのＲデータはパラレル−シリアル変換回路２０１によってシリアルデータに変換される。このＲデータのシリアルデータ列には、水平同期信号ＨＳＹＮＣ、垂直同期信号ＶＳＹＮＣ、有効表示データ期間を示すデータイネーブル信号ＥＮＡＢが重畳されて差動信号線ドライバ２０３に送られる。差動信号線ドライバ２０３では、シリアルデータの各ビット毎にその“１”／“０”の値が差動信号に変換されて出力される。
【００４４】
同様にして、６ビットのＧデータ、および６ビットのＢデータもそれぞれパラレル−シリアル変換回路２０１によってシリアルデータに変換された後に、対応する差動信号線ドライバ２０４，２０５によってビット毎に差動形式のデジタル表示信号に変換される。
【００４５】
また、クロック信号ＣＬＫはＰＬＬ２０２によって周波数変換された後、差動信号線ドライバ２０６を介して、差動信号線ドライバ２０３〜２０５からのデータと並列に出力される。
【００４６】
図７（ｂ）は変換ＩＣ１３４ｂに対応するものであり、図示のように、パラレル−シリアル変換回路３０１、エンコーダ３０２、差動信号線ドライバ３０３〜３０６から構成されている。
【００４７】
図７（ａ）との違いは、シリアルデータを差動信号に変換する前にそのエンコード処理を行ってノイズ耐性を高めている点と、水平同期信号ＨＳＹＮＣ、垂直同期信号ＶＳＹＮＣ、有効表示データ期間を示すデータイネーブル信号ＥＮＡＢをクロック信号ＣＬＫに重畳させている点である。
【００４８】
変換ＩＣ１３４ａ，１３４ｂは図８に示されているように、ＤＡＣ１３３と一緒に、表示コントローラ１３１のチップ上に集積形成することが好ましい。
図９には、フラットパネルモニタ検出回路１３５およびＣＲＴモニタ検出回路１３６それぞれからの検出信号ＤＥＴ１，ＤＥＴ２を用いて、デジタルインターフェイスコネクタ３３へのデジタル表示信号の出力・非出力、アナログＲＧＢインターフェイスコネクタ３２に対するアナログ表示信号の出力・非出力を、切り替えるための構成例が示されている。
【００４９】
図９は、図６の表示制御装置１３の構成に適用の場合の例であり、変換ＩＣ１３４ｂとデジタルインターフェイスコネクタ３３との間には検出信号ＤＥＴ１によってオン／オフされるスイッチ回路１３７が設けられており、またＤＡＣ３３３とアナログＲＧＢインターフェイスコネクタ３２との間にも、検出信号ＤＥＴ２によってオン／オフされるスイッチ回路１３８が設けられている。この構成により、外部モニタが接続されたコネクタに対してのみ、そのコネクタに対応する表示信号（デジタル表示信号またはアナログ表示信号）を供給することができる。もちろん、同時表示も可能である。
【００５０】
また、図９の構成は統一コネクタが用いられている場合にも同様にして適用できる。
以上の実施形態はノートＰＣを例にとって説明したが、デスクトップＰＣに対して適用することもでき、この場合には、専用の拡張カードなどを用いることなく、デジタルインターフェイスのフラットパネルディスプレイモニタをディスプレイモニタとして使用することが可能となり、ユーザはアナログＣＲＴモニタとデジタルインターフェイスのフラットパネルディスプレイモニタを選択的に使用することが可能となる。
【００５１】
【発明の効果】
以上説明したように、本発明によれば、一個の表示制御装置にて、デジタルインタフェース搭載の外部フラットパネルディスプレイモニタを含む多種類のモニタに対応することが可能となる。特に、ノートＰＣにおいては、内蔵フラットパネルディスプレイモニタと同等のデジタル表示信号がコネクタを介して外部に導出されているので、専用の拡張カードなどを用いることなくデジタルインタフェース搭載の外部フラットパネルディスプレイモニタを使用できる。また、差動形式のシリアルデジタル表示信号を用いることにより、電波障害などの問題を回避することができる。さらに、外部フラットパネルディスプレイモニタ用のデジタルインターフェイスコネクタとアナログＲＧＢコネクタとを統一化したコネクタ構造を採用することにより、コネクタ実装面積の増大を回避することができる。
【図面の簡単な説明】
【図１】本発明の一実施形態に係るコンピュータシステムのシステム構成を示すブロック図。
【図２】同実施形態のコンピュータシステムに外部ディスプレイモニタを接続した様子を示す図。
【図３】同実施形態のコンピュータシステムに外部ディスプレイモニタを接続したときの外観を示す図。
【図４】同実施形態のコンピュータシステムで使用される共用コネクタの一例を示す図。
【図５】同実施形態のコンピュータシステムに設けられた表示制御装置の第２の構成例を示す図。
【図６】同実施形態のコンピュータシステムに設けられた表示制御装置の第３の構成例を示す図。
【図７】同実施形態のコンピュータシステムに設けられた変換ＩＣの具体的構成の一例を示すブロック図。
【図８】同実施形態のコンピュータシステムに設けられた表示制御装置の第４の構成例を示す図。
【図９】同実施形態のコンピュータシステムに設けられた表示信号切り替え回路の例を示す図。
【符号の説明】
１１…ＣＰＵモジュール
１２…主メモリ
１３…表示制御装置
３１…内蔵フラットパネルディスプレイモニタ
３２…外部フラットパネルディスプレイモニタ用デジタルインターフェイスコネクタ
３３…アナログＲＧＢコネクタ
４１…外部フラットパネルディスプレイモニタ
４２…外部アナログＣＲＴモニタ
１３１…表示コントローラ
１３２…ＶＲＡＭ
１３３…ＤＡＣ
１３４…変換ＩＣ
１３４ａ…内蔵フラットパネルディスプレイモニタ用の変換ＩＣ
１３４ｂ…外部フラットパネルディスプレイモニタ用の変換ＩＣ
【図１】
0003839949.tif 000002
【図２】
0003839949.tif 000003
【図３】
0003839949.tif 000004
【図４】
0003839949.tif 000005
【図５】
0003839949.tif 000006
【図６】
0003839949.tif 000007
【図７】
0003839949.tif 000008
【図８】
0003839949.tif 000009
【図９】
0003839949.tif 000010